【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
第１絶縁基板と、第２絶縁基板と、両基板間に設けられた液晶とを備え、
前記第１絶縁基板上において、行列状に配置された複数の走査電極および複数の信号電極と、前記走査電極と前記信号電極との交点近傍に配置された複数の画素電極と、各走査電極と各信号電極と各画素電極に接続された各スイッチング素子と、前記第１絶縁基板上に配置された複数の第１共通電極と、各画素電極と各第１共通電極の間に接続された各補助コンデンサと、を備えた有効表示領域と、前記有効表示領域の外に位置する非表示領域と、を有する液晶表示装置であって、
前記複数の走査電極及び前記複数の信号電極は、それぞれ前記第１絶縁基板の一端の辺側に配列された複数の端子に接続されており、前記第１絶縁基板上の前記非表示領域には、前記複数の第１共通電極の一端がそれぞれ接続された第２共通電極が備えられ、前記第２共通電極は前記複数の端子の間に引き出されていることを特徴とする液晶表示装置。
【請求項２】
前記第２共通電極は、行状に延在する前記走査電極の一方の側の前記非表示領域に備えられているとともに、行状に延在する前記走査電極の他方の側の前記非表示領域において、前記複数の第１共通電極の他端がそれぞれ接続された第３共通電極が備えられており、前記第３共通電極は前記複数の端子の間に引き出されていることを特徴とする請求項１に記載の液晶表示装置。
【請求項３】
前記第２共通電極は、前記非表示領域において、当該第２共通電極の前記複数の端子の間に引き出された一端と、前記第２共通電極の前記複数の端子から最も離れた前記第１共通電極の一端と接続された側の一端と、が接続された閉回路を構成していることを特徴とする請求項１に記載の液晶表示装置。
【請求項４】
前記第２共通電極の前記複数の端子の間に引き出された一端と、前記第３共通電極の前記複数の端子の間に引き出された一端と、が接続線によって接続されていることを特徴とする請求項２に記載の液晶表示装置。
【請求項５】
前記第２共通電極は、前記非表示領域において、当該第２共通電極の前記複数の端子の間に引き出された一端と、前記第２共通電極の前記複数の端子から最も離れた前記第１共通電極の一端と接続された側の一端と、が接続された閉回路を構成しているとともに、
前記第３共通電極は、前記非表示領域において、当該第３共通電極の前記複数の端子の間に引き出された一端と、前記第２共通電極の前記複数の端子から最も離れた前記第１共通電極の他端と接続された側の一端と、が接続された閉回路を構成していることを特徴とする請求項２に記載の液晶表示装置。
【請求項６】
前記第２共通電極と前記第３共通電極とが、前記複数の走査電極に対して前記複数の端子と反対の側の前記非表示領域において共通線によって接続されており、前記第２共通電極と前記第３共通電極とによって閉回路を構成していることを特徴とする請求項４に記載の液晶表示装置。
【請求項７】
前記第２共通電極の前記閉回路と、前記第３共通電極の前記閉回路と、が前記複数の端子が配列された側において接続線によって接続されていることを特徴とする請求項５に記載の液晶表示装置。
【請求項８】
前記第２共通電極の前記閉回路と、前記第３共通電極の前記閉回路と、が前記複数の走査電極に対して前記複数の端子と反対の側の前記非表示領域において共通線によって接続されていることを特徴とする請求項５に記載の液晶表示装置。
【請求項９】
行状に延在する前記走査電極の他方の側の前記非表示領域において、前記複数の第１共通電極の他端がそれぞれ接続された第３共通電極が備えられ、前記第３共通電極は前記複数の端子の間に引き出されており、前記第２共通電極の前記閉回路と、前記第３共通電極と、が前記複数の端子が配列された側において接続線によって接続されていることを特徴とする請求項３に記載の液晶表示装置。
【請求項１０】
行状に延在する前記走査電極の他方の側の前記非表示領域において、前記複数の第１共通電極の他端がそれぞれ接続された第３共通電極が備えられ、前記第２共通電極の前記閉回路と、前記第３共通電極と、が前記複数の走査電極に対して前記複数の端子と反対の側の前記非表示領域において共通線によって接続されていることを特徴とする請求項３に記載の液晶表示装置。
【請求項１１】
前記第１絶縁基板にはＩＣが備えられ、前記複数の端子は前記ＩＣを構成する駆動部の出力端子であることを特徴とする請求項１乃至請求項１０のいずれか一項に記載の液晶表示装置。
【手続補正２】
【補正対象書類名】明細書
【補正対象項目名】０００８
【補正方法】変更
【補正の内容】
【０００８】
上記課題を解決するために、本発明の液晶表示装置は、第１絶縁基板と、第２絶縁基板と、両基板間に設けられた液晶とを備え、前記第１絶縁基板上において、行列状に配置された複数の走査電極および複数の信号電極と、前記走査電極と前記信号電極との交点近傍に配置された複数の画素電極と、各走査電極と各信号電極と各画素電極に接続された各スイッチング素子と、前記第１絶縁基板上に配置された複数の第１共通電極と、各画素電極と各第１共通電極の間に接続された各補助コンデンサと、を備えた有効表示領域と、前記有効表示領域の外に位置する非表示領域と、を有する液晶表示装置であって、前記複数の走査電極及び前記複数の信号電極は、それぞれ前記第１絶縁基板の一端の辺側に配列された複数の端子に接続されており、前記第１絶縁基板上の前記非表示領域には、前記複数の第１共通電極の一端がそれぞれ接続された第２共通電極が備えられ、前記第２共通電極は前記複数の端子の間に引き出されていることを特徴とする。
また、上記液晶表示装置において、前記第２共通電極は、行状に延在する前記走査電極の一方の側の前記非表示領域に備えられているとともに、行状に延在する前記走査電極の他方の側の前記非表示領域において、前記複数の第１共通電極の他端がそれぞれ接続された第３共通電極が備えられており、前記第３共通電極は前記複数の端子の間に引き出されていることを特徴とする。
また、上記液晶表示装置において、前記第２共通電極は、前記非表示領域において、当該第２共通電極の前記複数の端子の間に引き出された一端と、前記第２電共通極の前記複数の端子から最も離れた前記第１共通電極の一端と接続された側の一端と、が接続された閉回路を構成していることを特徴とする。
また、上記液晶表示装置において、前記第２共通電極の前記複数の端子の間に引き出された一端と、前記第３共通電極の前記複数の端子の間に引き出された一端と、が接続線によって接続されていることを特徴とする。
また、上記液晶表示装置において、前記第２共通電極は、前記非表示領域において、当該第２共通電極の前記複数の端子の間に引き出された一端と、前記第２共通電極の前記複数の端子から最も離れた前記第１共通電極の一端と接続された側の一端と、が接続された閉回路を構成しているとともに、前記第３共通電極は、前記非表示領域において、当該第３共通電極の前記複数の端子の間に引き出された一端と、前記第３共通電極の前記複数の端子から最も離れた前記第１共通電極の他端と接続された側の一端と、が接続された閉回路を構成していることを特徴とする。
また、上記液晶表示装置において、前記第２共通電極と前記第３共通電極とが、前記複数の走査電極に対して前記複数の端子と反対の側の前記非表示領域において共通線によって接続されており、前記第２共通電極と前記第３共通電極とによって閉回路を構成していることを特徴とする。
また、上記液晶表示装置において、前記第２共通電極の前記閉回路と、前記第３共通電極の前記閉回路と、が前記複数の端子が配列された側において接続線によって接続されていることを特徴とする。
また、上記液晶表示装置において、前記第２共通電極の前記閉回路と、前記第３共通電極の前記閉回路と、が前記複数の走査電極に対して前記複数の端子と反対の側の前記非表示領域において共通線によって接続されていることを特徴とする。
また、上記液晶表示装置において、行状に延在する前記走査電極の他方の側の前記非表示領域において、前記複数の第１共通電極の他端がそれぞれ接続された第３共通電極が備えられ、前記第３共通電極は前記複数の端子の間に引き出されており、前記第２共通電極の前記閉回路と、前記第３共通電極と、が前記複数の端子が配列された側において接続線によって接続されていることを特徴とする。
また、上記液晶表示装置において、行状に延在する前記走査電極の他方の側の前記非表示領域において、前記複数の第１共通電極の他端がそれぞれ接続された第３共通電極が備えられ、前記第２共通電極の前記閉回路と、前記第３共通電極と、が前記複数の走査電極に対して前記複数の端子と反対の側の前記非表示領域において共通線によって接続されていることを特徴とする。
また、上記液晶表示装置において、前記第１絶縁基板にはＩＣが備えられ、前記複数の端子は前記ＩＣを構成する駆動部の出力端子であることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
上記の様に、各走査電極と第２共通電極の交点において、第１絶縁層および第２絶縁層を積層することにより、上記交点近傍でのコンデンサ容量は、従来に比べ、極めて小さくなる。その結果として、上記交点部分における電力ロス（電力消費量）は極めて小さくなる。
【手続補正８】
【補正対象書類名】明細書
【補正対象項目名】００１４
【補正方法】変更
【補正の内容】
【００１４】
上記の様に、各走査電極と列電極の交点において、第１絶縁層および第２絶縁層を積層することにより、上記交点近傍でのコンデンサ容量は、従来に比べ、極めて小さくなる。その結果として、上記交点部分における電力ロス（電力消費量）は極めて小さくなる。また、請求項２の構成により、静電破壊を防止できる。
【手続補正９】
【補正対象書類名】明細書
【補正対象項目名】００１５
【補正方法】変更
【補正の内容】
【００１５】
上記の様に、各第１共通電極と列電極の交点において、第１絶縁層および第２絶縁層を積層することにより、上記交点近傍でのコンデンサ容量は、従来に比べ、極めて小さくなる。その結果として、上記交点部分における電力ロス（電力消費量）は極めて小さくなる。また、請求項３の構成により、静電破壊を防止できる。
【手続補正１０】
【補正対象書類名】明細書
【補正対象項目名】００１６
【補正方法】変更
【補正の内容】
【００１６】
上記の様に、各第１共通電極に接続され、共通電圧が供給され、閉回路とされた第２共通電極を設ける事により、各第１共通電極の各部分における電圧降下が小さくなる。その結果、各第１共通電極に接続された各補助コンデンサの印加電圧が略一定となり、クロストークやフリッカの発生を防止できる。
【手続補正１１】
【補正対象書類名】明細書
【補正対象項目名】００１７
【補正方法】変更
【補正の内容】
【００１７】
上記の様に、各交点部分における第１絶縁層および第２絶縁層の具体的構成は、スイッチング素子の構成と同一になる。故に、スイッチング素子と各交点部分は、同一の製造プロセスにて成膜されるので、製造コストが安い。